【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
商品または広告媒体に印刷された識別コードから、その商品に関する商品情報またはその広告媒体による広告対象物に関する広告対象情報を読み取る第１の読取部と、
前記商品または前記広告媒体に付された、または付されるべき記憶タグに、前記商品情報または前記広告対象情報を含むタグ情報を書き込む書込部と、
前記商品または前記広告媒体を取り扱っている業者を識別するための業者識別情報を取得する取得部と
を備えた記憶タグ発行端末。
【請求項２】
前記タグ情報は、前記業者識別情報をも含む
請求項１に記載の記憶タグ発行端末。
【請求項３】
さらに、
前記記憶タグから、その記憶タグを識別するためのタグ識別情報を読み取る第２の読取部と、
前記タグ識別情報と前記業者識別情報とを互いに関連づけて第１のサーバに送信する第１の送信部と
を備えた
請求項１に記載の記憶タグ発行端末。
【請求項４】
さらに、
前記業者識別情報を、前記商品情報または前記広告対象情報と共に第２のサーバに送信する第２の送信部と、
前記第２のサーバから、前記商品情報または前記広告対象情報に基づいて生成された前記タグ情報を受信する受信部と
を備え、
前記書込部は、前記受信部が受信した前記タグ情報を前記記憶タグに書き込む
請求項１から請求項３のいずれか１項に記載の記憶タグ発行端末。
【請求項５】
前記前記商品情報または前記広告対象情報に基づいて前記タグ情報を生成するタグ情報生成部を備え、
前記書込部は、前記タグ情報生成部が生成した前記タグ情報を前記記憶タグに書き込む
請求項１から請求項３のいずれか１項に記載の記憶タグ発行端末。
【請求項６】
前記タグ情報生成部は、前記業者識別情報にも基づいて前記タグ情報を生成する
請求項５に記載の記憶タグ発行端末。
【請求項７】
商品または広告媒体に印刷された識別コードからその商品に関する商品情報またはその広告媒体による広告対象物に関する広告対象情報を読み取るとともに記憶タグにタグ情報を書き込む記憶タグ発行端末から、その商品情報またはその広告対象情報と、前記商品または前記広告媒体を取り扱っている業者を識別するための業者識別情報とを受信する受信部と、
前記商品情報または前記広告対象情報に基づいて前記タグ情報を生成するタグ情報生成部と、
前記タグ情報を前記記憶タグ発行端末に対して送信する送信部と
を備えた記憶タグ発行サーバ。
【請求項８】
前記タグ情報生成部は、前記業者識別情報にも基づいて前記タグ情報を生成する
請求項７に記載の記憶タグ発行サーバ。
【請求項９】
顧客端末から、商品または広告媒体に付された記憶タグに記憶された、その商品に関する商品情報またはその広告媒体による広告対象物に関する広告対象情報を含むタグ情報を受信する第１の受信部と、
前記商品情報または前記広告対象情報、あるいは前記商品または前記広告媒体を取り扱っている業者を識別するための業者識別情報に基づいて、所定の処理を行う処理部と
を備えた広告サーバ。
【請求項１０】
前記タグ情報は、前記業者識別情報をも含む
請求項９に記載の広告サーバ。
【請求項１１】
第２の受信部をさらに備え、
前記第１の受信部は、前記記憶タグを識別するためのタグ識別情報をも受信し、
前記第２の受信部は、タグ識別情報と業者識別情報とが関連づけて記憶されたサーバから、前記タグ識別情報に対応する業者識別情報を受信する
請求項９に記載の広告サーバ。
【請求項１２】
前記処理部は、顧客端末に対して、前記商品または前記広告対象物に関する詳細な情報を送信する
請求項９から請求項１１のいずれか１項に記載の広告サーバ。
【請求項１３】
前記処理部は、顧客端末に対して、１または複数の店舗における、前記商品または前記広告対象物の価格を送信する
請求項９から請求項１１のいずれか１項に記載の広告サーバ。
【請求項１４】
前記処理部は、前記業者に対して報酬を支払うための支払い処理を行う
請求項９から請求項１１のいずれか１項に記載の広告サーバ。
【請求項１５】
商品または広告媒体に印刷された識別コードからその商品に関する商品情報またはその広告媒体による広告対象物に関する広告対象情報を読み取るとともに記憶タグにタグ情報を書き込む記憶タグ発行端末から、その記憶タグを識別するためのタグ識別情報と、前記商品または前記広告媒体を取り扱っている業者を識別するための業者識別情報とを受信する第１の受信部と、
前記タグ識別情報と前記業者識別情報とを互いに関連づけて記憶する記憶部と、
外部装置からタグ識別情報を受信する第２の受信部と、
前記記憶部に記憶されたタグ識別情報および業者識別情報から、前記第２の受信部が受信したタグ識別情報に対応する業者識別情報を検索し、送信する送信部と
を備えた業者識別サーバ。
【請求項１６】
商品または広告媒体に印刷された識別コードから取得したその商品に関する商品情報またはその広告媒体による広告対象物に関する広告対象情報と、前記商品または前記広告媒体を取り扱っている業者を識別するための業者識別情報とを有するタグ情報が記憶された記憶部と、
顧客端末に対して、前記商品情報または前記広告対象情報を、前記業者識別情報と共に送信する送信部と
を備えた記憶タグ。
【請求項１７】
商品または広告媒体に印刷された識別コードから、その商品に関する商品情報またはその広告媒体による広告対象物に関する広告対象情報を、記憶タグ発行端末により読み取り、
前記商品または前記広告媒体を取り扱っている業者を識別するための業者識別情報を取得し、
前記商品情報または前記広告対象情報に基づいて生成されたタグ情報を、前記商品または前記広告媒体に付された、または付されるべき記憶タグに対して、前記記憶タグ発行端末により書き込む
記憶タグ発行方法。
【請求項１８】
前記タグ情報は、前記業者識別情報にも基づいて生成される
請求項１７に記載の記憶タグ発行方法。
【請求項１９】
前記記憶タグから、その記憶タグを識別するためのタグ識別情報を、前記記憶タグ発行端末により読み取り、
前記タグ識別情報と前記業者識別情報とを互いに関連づけて、前記記憶タグ発行端末からサーバに対して送信する
請求項１７に記載の記憶タグ発行方法。
【請求項２０】
商品または広告媒体に付された記憶タグから、その商品に関する商品情報またはその広告媒体による広告対象物に関する広告対象情報を含むタグ情報を、顧客端末により読み取り、
前記顧客端末により読み取られた前記商品情報または前記広告対象情報に基づいて、その商品またはその広告対象物に関する詳細な情報を、広告サーバから前記顧客端末に対して送信するとともに、
前記商品または前記広告媒体を取り扱っている業者を識別するための業者識別情報に基づいて、前記広告サーバにより、前記業者に対して報酬を支払うための支払い処理を行う
広告方法。
【請求項２１】
前記タグ情報は、前記業者識別情報をも含む
請求項２０に記載の広告方法。
【請求項２２】
前記記憶タグから、前記記憶タグを識別するためのタグ識別情報を、記憶タグ発行端末により読み取り、
タグ識別情報と業者識別情報とが関連づけて記憶されたサーバから、前記タグ識別情報に対応する前記業者識別情報を取得する
請求項２０に記載の広告方法。
【手続補正２】
【補正対象書類名】明細書
【補正対象項目名】００６３
【補正方法】変更
【補正の内容】
【００６３】
次に、オーナーＯは、携帯電話３０に、登録したパスワードＰＷを入力する（ステップＳ３）。そして、携帯電話３０は、ＲＦタグ発行サーバ４０に対して、パスワードＰＷ、商品識別情報ＩＤＣ、および店舗識別情報ＩＤＳを送信する（ステップＳ４）。具体的には、携帯電話３０では、ＣＰＵ３９は、オーナーＯが入力部３１を操作して入力したパスワードＰＷ、ステップＳ２において取得した商品識別情報ＩＤＣ、およびメモリ３７に記憶されている店舗識別情報ＩＤＳを、通信部３８を介してＲＦタグ発行サーバ４０に対して送信する。そして、ＲＦタグ発行サーバ４０では、通信部４１が、これらのパスワードＰＷ、商品識別情報ＩＤＣ、および店舗識別情報ＩＤＳを受信する。
【手続補正３】
【補正対象書類名】明細書
【補正対象項目名】０１１１
【補正方法】変更
【補正の内容】
【０１１１】
図１６は、本変形例における販売システムの一動作例を表すものである。図１６は、上記実施の形態に係るＲＦタグ発行システム３の場合（図８）に対して、ステップＳ４５，Ｓ４６が追加されるとともに、ステップＳ３２がステップＳ３２Ｂに変更され、ステップＳ３４がステップＳ３４Ｂに変更されている。
【手続補正４】
【補正対象書類名】明細書
【補正対象項目名】０１３３
【補正方法】変更
【補正の内容】
【０１３３】
ＲＦタグ２０Ｄ（図２０（Ａ））においては、例えば、バーコード２８は、書籍１０に印刷されているバーコード１１と同じものであってもよいし、異なるものであってもよい。また、ＲＦタグ２０Ｄのバーコード２８や、ＲＦタグ２０Ｅの２次元コード２９は、例えば、バーコード１１の商品識別情報ＩＤＣに加え、店舗識別情報ＩＤＳを有するようにしてもよいし、さらに、その書籍１０に関する他の情報を有するようにしてもよい。これにより、例えば、顧客Ｐの携帯電話５０がＲＦタグリーダライタ５６を有していない場合であっても、カメラ５５を用いてこのバーコード２８や２次元コード２９から商品識別情報ＩＤＣおよび店舗識別情報ＩＤＳを取得することにより、上記実施の形態と同様の効果を得ることができる。
【手続補正５】
【補正対象書類名】明細書
【補正対象項目名】０１３８
【補正方法】変更
【補正の内容】
【０１３８】
ポスター８０は、この例では、駅Ｂの掲示板に張り付けられた広告用ポスターである。ポスター８０には、図２１に示したように、バーコード１１が印刷されるとともに、ＲＦタグ２０が張り付けられている。バーコード１１は、そのポスターの広告を識別するための広告識別情報ＩＤＤを有するものである。ＲＦタグ２０は、上記第１の実施の形態と同様に、ＲＦタグ情報ＩＮＦを記憶するとともに、非接触通信により携帯電話５０との間でＲＦタグ情報ＩＮＦなどのやり取りを行うものである。ここで、ＲＦタグ情報ＩＮＦは、この例では、広告識別情報ＩＤＤ、およびその広告が掲示されている駅を識別するための広告掲示者識別情報ＩＤＰを含むものである。このＲＦタグ情報ＩＮＦは、上記第１の実施の形態の場合と同様に、携帯電話３０によってＲＦタグが発行される際に、ＲＦタグ２０に記憶されるものである。すなわち、広告識別情報ＩＤＤは、上記第１の実施の形態における商品識別情報ＩＤＣに対応するものであり、広告掲示者識別情報ＩＤＰは、上記第１の実施の形態における店舗識別情報ＩＤＳに対応するものである。なお、この例では、ポスターは駅の掲示板に掲示されているものとしたが、これに限定されるものではなく、どのような場所に掲示されていてもよい。
【手続補正６】
【補正対象書類名】明細書
【補正対象項目名】０１３９
【補正方法】変更
【補正の内容】
【０１３９】
携帯電話５０は、ポスター８０に興味を持った顧客Ｐが使用する端末であり、その構成は、図５に示したものと同様である。